(57)【要約】【課題】カーペット施工時の簡便な施工が可能でタイルユニット相互間の接合連結強度と寸法安定性が極めて高く、タイルユニット相互間の「矩」と称するコーナー部分からの剥がれが大幅に抑制され、タイルユニット製造時の製造負担が大幅に軽減されたカーペット用タイルユニットを提供すること。【解決手段】タイル状表装材１１とタイル状ベース材１２とを積層接合して一体化してなるカーペット用タイルユニット１０において、タイル状表装材１１が正方形であり、タイル状ベース材１２が長方形であり、タイル状ベース材１２の長辺１２ａの長さがタイル状表装材１１の対角線１１ｃの長さに等しく、タイル状ベース材１２の短辺１２ｂの長さがタイル状表装材１１の対角線１１ｃの長さの２分の１に等しくなるように規定されているとともに、タイル状表装材１１の一辺１１ａとタイル状ベース材１２の長辺１２ａが４５度の組みつけ角度をなすように積層されていること。【選択図】図１
0003137026.tif 000002
【実用新案登録請求の範囲】
【請求項１】
タイル状表装材とタイル状ベース材とを積層接合して一体化してなるカーペット用タイルユニットにおいて、
前記タイル状表装材が正方形であり、前記タイル状ベース材が長方形であり、前記タイル状ベース材の長辺の長さが前記タイル状表装材の対角線の長さに等しく、前記タイル状ベース材の短辺の長さが前記タイル状表装材の対角線の長さの２分の１に等しくなるように規定されているとともに、
前記タイル状表装材の一辺と前記タイル状ベース材の長辺とが４５度の組みつけ角度をなすように積層されていることを特徴とするカーペット用タイルユニット。
【請求項２】
前記タイル状ベース材の長辺が、前記タイル状表装材の対角線と合致するように積層されていることを特徴とする請求項１に記載のカーペット用タイルユニット。
【請求項３】
前記タイル状ベース材の中心点が、前記タイル状表装材の頂点と合致するように積層されていることを特徴とする請求項１に記載のカーペット用タイルユニット。
【請求項４】
前記タイル状ベース材の中心点が、前記タイル状表装材の中心点と合致するように積層されていることを特徴とする請求項１に記載のカーペット用タイルユニット。
【考案の詳細な説明】
【技術分野】
【０００１】
本考案は、施工床面の下地との接合に依存することなくタイルユニット相互間の接合連結により施工床面の現況に応じて自由自在に敷設することのできるカーペット用タイルユニットに関するものである。
【背景技術】
【０００２】
従来、建築物、船舶、車両など広さ、形状が各種各様である場所の敷物として施工床面の下地と接着剤で接合することなく用いるタイルユニットとして、隣接するタイルユニット相互間で嵌合連結する凹凸嵌合構造を備えたもの、あるいは、タイルユニットを構成する表面材とパッド材との積層状態をずらして隣接するタイルユニット相互間で接合連結する重ね合わせ構造を備えたものなどが知られている。（例えば、実用新案文献１参照）。
【特許文献１】特開平６−２８８０６２号公報（第１頁、図２、６）
【考案の開示】
【考案が解決しようとする課題】
【０００３】
しかしながら、前者のような隣接するタイルユニット相互間で嵌合連結する凹凸嵌合構造を備えたタイルユニットは、表面材とパッド材とを嵌合連結するための凹凸嵌合構造をユニット外周部位に造形しなければならず、タイルユニット製造時の工数が大幅に増加するという製造上の厄介な問題があった。
【０００４】
また、後者のようなタイルユニットを構成する表面材とパッド材との積層状態をずらして隣接するタイルユニット相互間で接合連結する重ね合わせ構造を備えたタイルユニットは、表面材とパッド材との重ね合わせた接合面積が少なく、敷設施工時に単純に接合連結して敷設する工法、所謂、「流し張り工法」を採用した場合、施工仕上がり時の寸法安定性が悪くなるため、「市松張り工法」に依存しなければならず、カーペット施工後における見栄えなどの敷設デザインに大幅な制約を及ぼすとともに、タイルユニット相互間に形成される縦横の接合線に沿ってずれ易くなって摩耗損傷を生じやすくタイルユニットの耐久性を著しく損なうという問題があり、また、施工床面に敷設されて隣接するタイルユニット相互間に形成される縦横の接合線に対して斜向きの力が負荷された場合にタイルユニット相互間の固定力が弱いため、縦横の接合線が直交する領域、所謂、「矩（かね）」と称するコーナー部分から剥がれ易いという問題点があった。
【０００５】
本考案は、前述したような従来技術の問題を解決するものであって、すなわち、本考案の目的は、カーペット施工時の簡便な施工が可能でタイルユニット相互間の接合連結強度と寸法安定性が極めて高く、タイルユニット相互間の「矩」と称するコーナー部分からの剥がれが大幅に抑制され、しかも、タイルユニット製造時の製造負担が大幅に軽減されたカーペット用タイルユニットを提供することである。
【課題を解決するための手段】
【０００６】
本請求項１に係る考案は、タイル状表装材とタイル状ベース材とを積層接合して一体化してなるカーペット用タイルユニットにおいて、前記タイル状表装材が正方形であり、前記タイル状ベース材が長方形であり、前記タイル状ベース材の長辺の長さが前記タイル状表装材の対角線の長さに等しく、前記タイル状ベース材の短辺の長さが前記タイル状表装材の対角線の長さの２分の１に等しくなるように規定されているとともに、前記タイル状表装材の一辺と前記タイル状ベース材の長辺とが４５度の組みつけ角度をなすように積層されていることにより、前記課題を解決するものである。
【０００７】
本請求項２に係る考案は、請求項１に記載されたカーペット用タイルユニットの構成に加えて、前記タイル状ベース材の長辺が前記タイル状表装材の対角線と合致するように積層されていることにより、前記課題をさらに解決するものである。
【０００８】
本請求項３に係る考案は、請求項１に記載されたカーペット用タイルユニットの構成に加えて、前記タイル状ベース材の中心点が前記タイル状表装材の頂点と合致するように積層されていることにより、前記課題をさらに解決するものである。
【０００９】
本請求項４に係る考案は、請求項１に記載されたカーペット用タイルユニットの構成に加えて、前記タイル状ベース材の中心点が前記タイル状表装材の中心点と合致するように積層されていることにより、前記課題をさらに解決するものである。
【考案の効果】
【００１０】
本考案のカーペット用タイルユニットは、タイル状表装材とタイル状ベース材とを積層接合して一体化したことにより、施工床面の下地との接着剤を用いた張着接合に依存することなくタイルユニット相互間の接合連結により施工床面の現況に応じて自由自在に敷設できるとともに、以下のような格別の効果を奏することができる。
【００１１】
すなわち、本請求項１に係る考案のカーペット用タイルユニットは、タイル状表装材が正方形であり、タイル状ベース材が長方形であり、タイル状ベース材の長辺の長さがタイル状表装材の対角線の長さに等しく、タイル状ベース材の短辺の長さがタイル状表装材の対角線の長さの２分の１に等しくなるように規定されているとともに、タイル状表装材の一辺とタイル状ベース材の長辺とが４５度の組みつけ角度をなすように積層されていることにより、隣接するタイル状表装材の相互間に形成される縦横の接合線に対して斜向きの力が負荷された場合であっても、この斜向きに負荷された力をタイル状表装材の対角線と同一方向となる４５度の組みつけ角度で積層されているタイル状ベース材の相互間に形成される斜めの接合線に沿った接合面で受け止めてトラス構造を呈するため、タイルユニット相互間の接合連結強度が高く、タイルユニット相互間に生じがちなずれや「矩（かね）」と称するコーナー部分からの剥がれが抑制され、タイルユニットの摩耗損傷を大幅に防止するとともに優れた耐久性を発揮することができる。
【００１２】
また、隣接するタイル状表装材の相互間に形成される縦横の接合線とタイル状ベース材の相互間に形成される斜めの接合線の双方に沿って接合連結する敷設が可能となるため、カーペット施工時の施工が極めて簡便であり、「流し張り工法」または「市松張り工法」のいずれを採用して施工しても施工床面の現況に応じた極めて高い寸法安定性を発揮することができる。
【００１３】
さらに、本請求項１に係る考案のカーペット用タイルユニットは、長方形を呈するタイル状ベース材の短辺の長さが正方形を呈するタイル状表装材の対角線の長さの２分の１に等しく、タイル状表装材の一辺とタイル状ベース材の長辺とが４５度で組みつけ積層されていることにより、従来のような表面材とパッド材とを嵌合連結するための凹凸嵌合構造をユニット外周部位に造形したタイルユニットに比較すると、ユニット形態が極めて簡素であるため、タイルユニット製造時の製造負担を大幅に軽減することができるばかりでなく、現場施工時の接合連結作業において隣接するタイル状表装材とタイル状ベース材との接合面積が相互の露呈し合う接合面間で充分に確保されているため、カーペット敷設後のタイルユニット相互間の接合連結強度が従来のタイルユニットに比較すると一段と高くなり、優れた形態安定性を発揮することができる。
【００１４】
そして、本請求項２に係る考案のカーペット用タイルユニットは、請求項１に係るカーペット用タイルユニットが奏する効果に加えて、タイル状ベース材の長辺がタイル状表装材の対角線と合致するように積層されていることにより、施工現場におけるタイル状表装材とタイル状ベース材との接合面積を施工面積の約半分程度まで許容することができるため、施工時に現況に応じた確実な接合連結を達成することができるばかりでなく、隣接するカーペット用タイルユニットと重なる部分を大きくとりつつ、ユニット表面側から見て五角形の凹凸が少ない全体形状を呈するため、ユニット製造後の取り扱いや梱包を容易にすることができる。
【００１５】
また、本請求項３に係る考案のカーペット用タイルユニットは、請求項１に係るカーペット用タイルユニットが奏する効果に加えて、タイル状ベース材の中心点がタイル状表装材の頂点と合致するように積層されていることにより、カーペット施工時に一枚のカーペット用タイルユニットがその頂点に接して隣接する他の三枚のカーペット用タイルユニットと重なり合って強固に連結固定されるため、過度の力が負荷された場合であっても、他の三枚のカーペット用タイルユニットに発生する応力が分散され、タイルユニットの摩耗損傷を一段と防止して優れた耐久性を発揮することができる。
【００１６】
また、本請求項４に係る考案のカーペット用タイルユニットは、請求項１に係るカーペット用タイルユニットが奏する効果に加えて、タイル状ベース材の中心点がタイル状表装材の中心点と合致するように積層されていることにより、ユニット表面側から見た投影面積が小さいため、ユニット製造後の取り扱いや梱包を容易にすることができるとともに、１８０度回転した位置でも形状が同一となるため、方向性のある模様を順次回転させて組み合わせることが可能となり、しかも、隣接するカーペット用タイルユニットの双方のタイル状表装材とタイル状ベース材がそれぞれ相互に重なることにより、さらに強固に固定することができる。
【考案を実施するための最良の形態】
【００１７】
本考案は、タイル状表装材とタイル状ベース材が重合積層されてなる矩形状カーペット用タイルユニットにおいて、タイル状表装材が正方形であり、タイル状ベース材が長方形であり、タイル状ベース材の長辺の長さがタイル状表装材の対角線の長さに等しく、タイル状ベース材の短辺の長さがタイル状表装材の対角線の長さの２分の１に等しく、タイル状表装材の一辺とタイル状ベース材の長辺が４５度の角度をなすように積層され、カーペット施工時の簡便な施工が可能でタイルユニット相互間の接合連結強度と寸法安定性が極めて高く、タイルユニット相互間の「矩」と称するコーナー部分からの剥がれが大幅に抑制され、タイルユニット製造時の製造負担が大幅に軽減されるものであれば、その具体的な実施態様は如何なるものであっても何ら構わない。
【００１８】
すなわち、本考案のカーペット用タイルユニットにおけるユニット寸法は、建築物、船舶、車両などの施工床面に対して接着剤を用いた下地との張着接合に依存することなくタイルユニット相互間の接合連結により施工床面の現況に応じて自由自在に敷設できる寸法であれば如何なる寸法であっても良い。
【００１９】
そして、本考案のカーペット用タイルユニットで用いるタイル状表装材の具体的な材質形状については、敷物として使用するものであれば如何なる材質形状でもよく、例えば、ポリアミド繊維、ポリエステル繊維、ポリアクリル繊維、カーボン繊維、ガラス繊維などを編成、織成してなるループパイル地やカットパイル地、スパンボンド加工、静電不織加工などしてなる不織布、フェルト、あるいは、これらをさらに立毛してなる起毛布などで耐へたり感、足踏感、強直性を改善したものであっても良く、さらに、使用用途に応じてこれらを多重に積層して嵩高性、弾力性など付加したもの、もしくは、各種多様に染色したり模様づけしたりしたものであれば、より好ましい。
【００２０】
また、本考案のカーペット用タイルユニットで用いるタイル状ベース材の具体的な材質形状については、上述したタイル状表装材と同様に、敷物として使用するものであれば如何なる材質形状でもよいが、例えば、床面下地との関係において形態安定性、静音性、防水性などを確保するために、ポリ塩化ビニール（ＰＶＣ）、ポリウレタン、ポリプロピレンなどの樹脂や天然ゴム、合成ゴムなどからなるマット、各種の合成樹脂繊維からなる不織布を用いても良く、タイルユニットの表裏を反転させてリバーシブルに使用するためにタイル状ベース材を各種多様に染色若しくは模様づけしたものであっても何ら差し支えない。
【００２１】
さらに、本考案のカーペット用タイルユニットは、ユニット製造時にタイル状表装材とタイル状ベース材とを積層接合して一体化した状態でカーペット施工時に施工床面の下地との接着剤などを用いた張着接合に依存することなくタイルユニット相互間の接合連結により施工床面の現況に応じて自由自在に敷設できるものであれば、如何なるものであっても良く、たとえば、その積層接合形態については、タイル状ベース材の長辺がタイル状表装材の対角線と合致するように積層されているもの、タイル状ベース材の中心点がタイル状表装材の頂点と合致するように積層されているもの、タイル状ベース材の中心点がタイル状表装材の中心点と合致するように積層されているものの何れであっても構わない。
【００２２】
また、本考案においてカーペット施工時の隣接するタイル状ベース材とタイル状表装材との接合連結については、通常の溶剤型、エマルジョン型、ホットメルト型などの接着剤やアクリル系、天然ゴム系、合成ゴム系などの粘着剤、加圧により相互に接合する感圧接着剤などのいずれを用いても構わない。
【００２３】
なお、本考案のカーペット用タイルユニットをカーペット施工した際に接合連結された敷設領域の外延に生じるタイル状表装材もしくはタイル状ベース材のみが張り出した部分については、張り出した部分をそのまま縁飾り部分として残存させるか、あるいは、張り出した部分を切除するか、張り出している部分に見合うタイル状表装材もしくはタイル状ベース材の小片を重合積層して敷設領域を全体に亙って均一なユニット厚みになるように補修しても良い。
【実施例】
【００２４】
以下に、本考案の一実施例であるカーペット用タイルユニットについて図面を基づいて説明する。
図１は、本考案の第１実施例であるカーペット用タイルユニットの使用態様図であり、図２は、図１に示すカーペット用タイルユニットを拡大した斜視図であり、図３は、本考案の第２実施例であるカーペット用タイルユニットの使用態様図であり、図４は、図３に示すカーペット用タイルユニットを拡大した斜視図であり、図５は、本考案の第３実施例であるカーペット用タイルユニットの使用態様図であり、図６は、図５に示すカーペット用タイルユニットを拡大した斜視図である。
【００２５】
まず、本考案の一実施例であるカーペット用タイルユニット１０は、図１乃至図２に示すように、施工床面に対して縦横に複数枚を並べてカーペットとして用いるものであって、正方形のタイル状表装材１１と長方形のタイル状ベース材１２とを積層接合して一体化することにより、施工床面の下地との接着剤を用いた張着接合に依存することなく、タイルユニット相互間の接合連結により施工床面の現況に応じて自由自在に敷設できるようになっている。
なお、図１における点線は、タイル状表装材１１に隠れたタイル状ベース材１２の外形輪郭を透視した線である。
【００２６】
そして、タイル状ベース材１２の長辺１２ａの長さは、タイル状表装材１１の対角線１１ｃの長さに等しく、タイル状ベース材１２の短辺１２ｂの長さは、タイル状表装材１１の対角線１１ｃの長さの２分の１に等しくなっている。
また、タイル状ベース材１２の長辺１２ａは、タイル状表装材１１の対角線１１ｃと合致するように積層され、タイル状表装材１１の一辺１１ａとタイル状ベース材１２の長辺１２ａは、４５度の組みつけ角度をなしている。
なお、本実施例で用いたタイル状表装材１１は、ポリアミド繊維１００パーセントのパイル糸がポリエステル不織布からなる基布にタフティングされたもので構成されており、他方のタイル状ベース材１２は、再生した塩化ビニル樹脂とガラス繊維布とで構成されている。
【００２７】
このようなカーペット用タイルユニット１０を、図１に示すように敷設することにより、タイル状表装材１１の２辺においてタイル状ベース材１２の突出部１２ｔが存在し、これらが隣接するカーペット用タイルユニット１０のタイル状表装材１１の突出部１１ｔと重なり合って強固に固定された状態で、タイル状表装材１１とタイル状ベース材１２がともに床面全体に敷き詰められるようになっている。
なお、本実施例では、カーペット施工時の隣接するタイル状表装材１１とタイル状ベース材１２との接合連結に、施工者による加圧によりタイル状表装材１１とタイル状ベース材１２とが相互に接合するような感圧接着剤を用いており、敷設床面を接着剤などで汚染することがないようになっている。
【００２８】
このようにして得られた本考案の一実施例であるカーペット用タイルユニット１０は、隣接するタイル状表装材１１の相互間に形成される縦横の接合線に対して斜向きの力が負荷された場合であっても、この斜向きに負荷された力をタイル状表装材１１の対角線と同一方向となる４５度の組みつけ角度で積層されているタイル状ベース材１２の相互間に形成される斜めの接合線に沿った接合面で受け止めてトラス構造を呈するため、タイルユニット相互間の接合連結強度が高く、タイルユニット相互間に生じがちなずれや「矩（かね）」と称するコーナー部分から剥がれが大幅に抑制されてタイルユニットの摩耗損傷を防止できるとともに優れた耐久性を発揮でき、また、隣接するタイル状表装材１１の相互間に形成される縦横の接合線とタイル状ベース材１２の相互間に形成される斜めの接合線の双方に沿って接合連結する敷設が可能となるため、カーペット施工時の施工が極めて簡便であり、「流し張り工法」または「市松張り工法」のいずれを採用して施工しても施工床面の現況に応じた極めて高い寸法安定性を発揮でき、しかも、従来のような表面材とパッド材とを嵌合連結するための凹凸嵌合構造をユニット外周部位に造形したタイルユニットに比較すると、ユニット形態が極めて簡素であるため、タイルユニット製造時の製造負担を大幅に軽減することができるばかりでなく、現場施工時の接合連結作業において隣接するタイル状表装材１１とタイル状ベース材１２との接合面積が相互の露呈し合う接合面間で充分に確保されているため、カーペット敷設後のタイルユニット相互間の接合連結強度が従来のタイルユニットに比較すると一段と高くなり、優れた形態安定性を発揮することができる。
【００２９】
加えて、本実施例であるカーペット用タイルユニット１０は、タイル状ベース材１２の長辺１２ａがタイル状表装材１１の対角線１１ｃと合致するように積層されていることにより、施工現場におけるタイル状表装材１１とタイル状ベース材１２との接合面積を施工面積の約半分程度まで許容することができるため、施工時に現況に応じた確実な接合連結を達成することができるばかりでなく、隣接するカーペット用タイルユニット１０と重なる部分を大きくとりつつ、ユニット表面側から見て五角形の凹凸が少ない全体形状を呈するため、ユニット製造後の取り扱いや梱包を容易にすることができるなど、その効果は甚大である。
【００３０】
次に、本考案の第２実施例であるカーペット用タイルユニット２０について以下に詳しく説明する。
図３乃至図４に示すように、本考案の第２実施例であるカーペット用タイルユニット２０は、施工床面に対して縦横に複数枚を並べてカーペットとして用いるものであって、正方形のタイル状表装材２１と長方形のタイル状ベース材２２とを積層接合して一体化することにより、施工床面の下地との接着剤を用いた張着接合に依存することなく、タイルユニット相互間の接合連結により施工床面の現況に応じて自由自在に敷設できるようになっている。
なお、図３における点線は、タイル状表装材２１に隠れたタイル状ベース材２２の外形輪郭を透視した線である。
【００３１】
ここで、本考案の第２実施例であるカーペット用タイルユニット２０は、基本的には、上述したような本考案の第１実施例であるカーペット用タイルユニット１０と同様な特有の構成を備えており、その特有の構成によって奏する効果と同じであるため、同一の構成については、カーペット用タイルユニット１０の１０番台の符号を２０番台の符号に読み替えることによってその重複した説明を省略する。
【００３２】
すなわち、本考案の第２実施例であるカーペット用タイルユニット２０は、上述したカーペット用タイルユニット１０に比較すると、タイル状ベース材２２の中心点２２ｔがタイル状表装材２１の頂点２１ｒと合致している点でのみ相違しており、このようにしてタイル状表装材２１の一辺２１ａとタイル状ベース材２２の長辺２２ａが４５度の角度をなすように積層されている。
【００３３】
したがって、本考案の第２実施例であるカーペット用タイルユニット２０は、上述したカーペット用タイルユニット１０と同一の構成が奏する効果に加えて、タイル状ベース材２２の中心点２２ｔがタイル状表装材２１の頂点２１ｒと合致するように積層されていることにより、カーペット施工時に一枚のカーペット用タイルユニット２０がその頂点に接して隣接する他の三枚のカーペット用タイルユニット２０と重なり合って強固に連結固定されるため、過度の力が負荷された場合であっても、他の三枚のカーペット用タイルユニット２０に発生する応力が分散され、タイルユニットの摩耗損傷を一段と防止して優れた耐久性を発揮することができるなど、その効果は甚大である。
【００３４】
次に、本考案の第３実施例であるカーペット用タイルユニット３０について以下に詳しく説明する。
図５乃至図６に示すように、本考案の第３実施例であるカーペット用タイルユニット３０は、施工床面に対して縦横に複数枚を並べてカーペットとして用いるものであって、正方形のタイル状表装材３１と長方形のタイル状ベース材３２とを積層接合して一体化することにより、施工床面の下地との接着剤を用いた張着接合に依存することなく、タイルユニット相互間の接合連結により施工床面の現況に応じて自由自在に敷設できるようになっている。
なお、図５における点線は、タイル状表装材３１に隠れたタイル状ベース材３２の外形輪郭を透視した線である。
【００３５】
ここで、本考案の第３実施例であるカーペット用タイルユニット３０は、基本的には、上述したような本考案の第１実施例であるカーペット用タイルユニット１０と同様な特有の構成を備えており、その特有の構成によって奏する効果と同じであるため、同一の構成については、カーペット用タイルユニット１０の１０番台の符号を３０番台の符号に読み替えることによってその重複した説明を省略する。
【００３６】
すなわち、本考案の第３実施例であるカーペット用タイルユニット３０は、上述したカーペット用タイルユニット１０に比較すると、タイル状ベース材３２の中心点３２ｔがタイル状表装材３１の中心点３１ｔと合致している点でのみ相違しており、このようにしてタイル状表装材３１の一辺３１ａとタイル状ベース材３２の長辺３２ａが４５度の角度をなすように積層されている。
【００３７】
したがって、本考案の第３実施例であるカーペット用タイルユニット３０は、上述したカーペット用タイルユニット１０と同一の構成が奏する効果に加えて、タイル状ベース材３２の中心点３２ｔがタイル状表装材３１の中心点３１ｔと合致するように積層されていることにより、ユニット表面側から見ての面積が小さいため、ユニット製造後の取り扱いや梱包を容易にすることができるとともに、１８０度回転した位置でも形状が同一となるため、方向性のある模様を順次回転させて組み合わせることが可能となり、しかも、隣接するカーペット用タイルユニットの双方のタイル状表装材３１とタイル状ベース材３２がそれぞれ相互に重なることにより、さらに強固に固定することができるなど、その効果は甚大である。
【図面の簡単な説明】
【００３８】
【図１】本考案の第１実施例であるカーペット用タイルユニットの使用態様図。
【図２】図１に示すカーペット用タイルユニットを拡大した斜視図。
【図３】本考案の第２実施例であるカーペット用タイルユニットの使用態様図。
【図４】図３に示すカーペット用タイルユニットを拡大した斜視図。
【図５】本考案の第３実施例であるカーペット用タイルユニットの使用態様図。
【図６】図５に示すカーペット用タイルユニットを拡大した斜視図。
【符号の説明】
【００３９】
１０  ，２０  ，３０  ・・・カーペット用タイルユニット
１１  ，２１  ，３１  ・・・タイル状表装材
１１ａ，２１ａ，３１ａ・・・タイル状表装材の一辺
１１ｃ，２１ｃ，３１ｃ・・・タイル状表装材の対角線
２１ｒ・・・タイル状表装材の頂点
３１ｔ・・・タイル状表装材の中心点
１２  ，２２  ，３２  ・・・タイル状ベース材
１２ａ，２２ａ，３２ａ・・・タイル状ベース材の長辺
１２ｂ，２２ｂ，２２ｂ・・・タイル状ベース材の短辺
１２ｃ，２２ｃ，３２ｃ・・・タイル状ベース材の対角線
２２ｔ，３２ｔ・・・タイル状ベース材の中心点
【図１】
0003137026.tif 000003
【図２】
0003137026.tif 000004
【図３】
0003137026.tif 000005
【図４】
0003137026.tif 000006
【図５】
0003137026.tif 000007
【図６】
0003137026.tif 000008